(57)【要約】  発光素子（１１）の駆動が停止されている間に受光素子（１２）に蓄積している電荷が所定量（１／２Ｖｃｃ）以下に減少した場合に、電荷が所定量に収束するように発光素子（１１）を駆動することで、発光素子（１１）の駆動を停止して電力消費を抑制している間にも、電荷を所定量付近で維持することができる。これにより、光電脈波計測を再開する必要が生じたときに短時間で当該計測を開始することができる。また、これとともに又はこれに代えて受光素子（１２）が発光素子（１１）からの光パルスを受光できない状態から受光できる状態に変化した場合に、受光素子（１２）に蓄積している電荷が所定量に収束するように発光素子（１１）を駆動することで、短時間で脈波計測を開始することができる。
2010086978.tif 000002
【特許請求の範囲】
【請求項１】
光パルスを発光する発光部と、
前記発光部にて発光された光パルスを受光する受光素子を有し、当該受光素子で受光した光パルスに対応する出力信号を出力する受光部と、
前記発光部を駆動して前記光パルスを発光させ、前記受光部から出力された出力信号に基づいて脈波計測を行う制御部と、を備え、
前記発光部の駆動が停止されている間に前記受光素子に蓄積している電荷が所定量以下に減少した場合、及び／又は、前記受光素子が前記発光部からの光パルスを受光できない状態から受光できる状態に変化した場合に、前記制御部は、前記受光素子に蓄積している電荷が前記所定量に収束するように前記発光部を駆動すること特徴とする光電脈波計測装置。
【請求項２】
前記制御部は、前記発光部から発光された光パルスが前記受光素子により直接受光される状態にある間、前記発光部による光パルスの発光を一時的に停止し、
当該一時的な発光停止の後、前記受光素子に蓄積している電荷が所定量以下に減少した場合に、前記電荷が所定量に収束するように前記発光部からの光パルスの発光を行うことを特徴とする請求項１に記載の光電脈波計測装置。
【請求項３】
前記制御部は、前記受光素子が前記発光部からの光パルスを受光できない状態から受光できる状態に変化した場合に、
前記発光部と前記受光部とを用いた脈波計測における光パルスの発光間隔よりも狭い間隔で光パルスを発光し、前記受光素子に蓄積している電荷を前記所定量に収束させることを特徴とする請求項１又は２に記載の光電脈波計測装置。
【請求項４】
前記制御部は、受光部からの出力信号を復調するピークホールド型復調回路と、当該ピークホールド型復調回路から出力された脈波信号の振幅を抽出する抽出回路と、を有し、
前記ピークホールド型復調回路の出力と前記抽出回路からの出力とに基づいて、前記発光部と前記受光部との状態を検出することを特徴とする請求項１〜３のいずれか一項に記載の光電脈波計測装置。
【発明の詳細な説明】
【技術分野】
【０００１】
本発明は、光電脈波計測装置に関する。
【背景技術】
【０００２】
従来、心拍数を測定する方法としては、心臓の鼓動を生み出す心電信号を検出して心拍数を測定する方法が用いられていた。これに対し、最近では、心拍動により発生した動脈の容積変化（脈波）に応じて変化する光の吸収量を検出して、心拍数を測定する方法（光電脈波計）が用いられている。【０００３】
この光電脈波計は、一定の光量の光を人体に照射し、血液により吸収された光以外の光を検出して、その変動成分を計測するというものである。【０００４】
このような光電脈波計では、消費電力の削減を目的として、検出した光の入射レベルから脈波測定中であるか否かを判定し、測定中でなければ、光の照射を停止したり発光量を下げたりする技術が提案されている（例えば、特許文献１参照）。【０００５】
【特許文献１】特開平１−２７５３２号公報
【発明の開示】
【発明が解決しようとする課題】
【０００６】
しかしながら、上記特許文献１に記載の技術では、測定中でない場合に光の照射を完全に停止すると、脈波計測が再開された場合に、受光素子を用いた光の検出が可能となるまで（受光素子に、ある程度の電荷が溜まるまで）に長時間を要するおそれがある。【０００７】
また、受光素子が光を受光できない状態が長く続いた後、脈波計測に移行した場合にも、受光素子を用いた光の検出が可能となるまで（受光素子にある程度電荷が溜まるまで）に長時間を要するおそれがある。【０００８】
そこで、本発明は上記の課題に鑑みてなされたものであり、脈波計測再開時に、短時間で脈波の計測を開始することが可能な光電脈波計測装置を提供することを目的とする。
【課題を解決するための手段】
【０００９】
上記課題を解決するために、本明細書に記載の光電脈波計測装置は、光パルスを発光する発光部と、前記発光部にて発光された光パルスを受光する受光素子を有し、当該受光素子で受光した光パルスに対応する出力信号を出力する受光部と、前記発光部を駆動して前記光パルスを発光させ、前記受光部から出力された出力信号に基づいて脈波計測を行う制御部と、を備え、前記発光部の駆動が停止されている間に前記受光素子に蓄積している電荷が所定量以下に減少した場合、及び／又は、前記発光部からの光パルスを前記受光素子が受光できない状態から受光できる状態に変化した場合に、前記制御部は、前記受光素子に蓄積している電荷が前記所定量に収束するように前記発光部を駆動する。【００１０】
これによれば、発光部の駆動が停止されている間に受光素子に蓄積している電荷が所定量以下に減少した場合に、受光素子に蓄積している電荷が所定量に収束するように発光部を駆動することで、光電脈波計測を中断している場合などにおいて発光部の駆動を停止して電力消費を抑制している間にも、電荷を所定量付近で維持することができる。これにより、光電脈波計測を再開する必要が生じたときに短時間で当該計測を開始することが可能となる。また、これに代えて、又はこれとともに、受光素子が発光部からの光パルスを受光できない状態から受光できる状態に変化した場合に、受光素子に蓄積している電荷が所定量に収束するように発光部を駆動することで、受光素子が発光部からの光パルスを受光できる状態に変化した後、短時間で脈波計測を開始することが可能となる。
【発明の効果】
【００１１】
本明細書に記載の光電脈波計測装置は、脈波計測再開時に、短時間で脈波の計測を開始することができるという効果を奏する。
【図面の簡単な説明】
【００１２】
【図１】一実施形態に係る光電脈波計測装置を示すブロック図である。
【図２】図１のアナログ回路の具体的な構成を中心に示すブロック図である。
【図３】図３（ａ）〜図３（ｅ）は、図１の信号形成回路に入力される信号から、信号形成回路から出力される信号までの信号処理の流れを示す図である。
【図４】信号特性と装着状態との関係を示す図である。
【図５】光電脈波の計測開始（再開）までの処理を示すフローチャートである。
【図６】図６（ａ）は、イヤークリップ部が未装着かつ閉状態にある状態から装着状態となったときのパルス発光の例を示す図であり、図６（ｂ）は、イヤークリップ部が未装着かつ開状態にある状態から装着状態となったときのパルス発光の例を示す図である。
【図７】図７（ａ）、図７（ｂ）は、図６（ａ）、図６（ｂ）についての比較例を示す図である。
【発明を実施するための最良の形態】
【００１３】
以下、本発明の一実施形態について図１〜図７に基づいて詳細に説明する。【００１４】
図１には、一実施形態に係る光電脈波計測装置１００の構成がブロック図にて示されている。この光電脈波計測装置１００は、例えばイヤークリップ型と呼ばれ、人間（被験者）の耳に装着することが可能なクリップ型のセンサ（イヤークリップ部）を含んでいる。この光電脈波計測装置１００は、ランニングなどの運動を行う被験者の耳に光電クリップが装着された状態で、被験者の脈波を検出し、心拍動による血圧変化や血流量の増減によって生ずる生体情報を得る。【００１５】
光電脈波計測装置１００は、図１に示すように、光電変換回路１と、アナログ回路２と、デジタル回路３と、コンピュータ４と、表示装置５と、を備える。このうち、コンピュータ４と表示装置５以外の部分は、イヤークリップ部１０に搭載され、被験者の耳に装着される。また、イヤークリップ部１０は、ワイヤ（配線）を介してコンピュータ４と接続される。コンピュータ４は、例えば、携帯電話機などの携帯情報端末などに搭載され、表示装置５には、携帯情報端末のディスプレイが用いられる。【００１６】
光電変換回路１は、発光部としての発光素子１１と、受光部としての受光素子１２と、を有する。発光素子１１は、例えばＬＥＤ（Light Emition Diode）を含み、予め定められた波長の光を照射する。この予め定められた波長の光は、例えば近赤外光である。発光素子１１から出力された光は、被験者の耳の動脈に照射され、当該動脈で吸収されるとともに、反射される。この発光素子１１は、後述する制御回路３１（ドライブ回路２１）により制御され、脈波に応じて変動する時間間隔での間歇的な発光を行う（パルス駆動される）。【００１７】
受光素子１２は、例えばフォトダイオードを含み、発光素子１１から照射された光の透過光を受光して、これに対応する値の出力信号（アナログ電気信号）を形成して出力する。この受光素子１２から出力される信号は電流信号である。フォトダイオードとしては、発光素子１１から照射される光（赤外光）のリニアリティが高く、バイアス成分が加わってもパルスに大きな影響が与えないものを用いることが好ましい。この場合、暗電流特性、すなわち、発生電荷による内部バイアス特性が高いものを選ぶことができる。この受光素子１２から出力される信号は、図３（ａ）のような信号である。【００１８】
図２には、アナログ回路２の具体的な構成がブロック図にて示されている。この図２に示すように、アナログ回路２は、発光素子１１に接続されたドライブ回路２１と、受光素子１２に接続された信号形成回路２２とを有する。【００１９】
ドライブ回路２１は、パルス発光回路２１１を有する。このパルス発光回路２１１は、制御回路３１からの指示に基づいて、発光素子１１の発光を制御する。【００２０】
信号形成回路２２は、受光素子１２の出力信号に基づいて連続した脈波信号を生成（形成）するものであり、ＩＶ変換回路２２１と、ハイパスフィルタ回路２２２と、ピークホールド型復調回路２２３と、抽出回路としてのＡＣアンプ回路２２４と、を有する。【００２１】
ＩＶ変換回路２２１は、受光素子１２からの電流信号を、これに応じた値の電圧信号（アナログ信号）に変換してハイパスフィルタ回路２２２に出力する。ハイパスフィルタ回路２２２では、外光バスアス成分の重畳した受光パルス信号から、効果的に受光パルス成分のみを抽出するもので、例えば、パルス幅２０μｍの信号に対して、１０００Ｈｚ２次のカットオフを設定することで、外光変動を効果的に除去することができる。このハイパスフィルタ回路２２２から出力される信号は、図３（ｂ）のような信号である。ピークホールド型復調回路２２３は、ダイオードの整流機能で、通過ピーク信号出力の電圧信号の一定値以上をコンデンサ蓄積して、ピーク信号に比例した値をホールド（保持）し、出力する。このピークホールド型復調回路２２３から出力される信号は、図３（ｃ）のような信号である。ピークが一定以下となると保持した信号は放電により減衰し、ＡＣアンプ回路２２４の平滑機能（図３（ｄ）参照）で所定の周波数以下（たとえば、０．７〜５Ｈｚ）の復調信号を得ることができる。このＡＣアンプ回路２２４から出力される信号は、図３（ｅ）に示すような信号である。【００２２】
デジタル回路３が有する制御回路３１は、ピークホールド型復調回路２２３から出力される復調信号の信号レベルと、ＡＣアンプ回路２２４から出力される振幅レベルを、ＡＤコンバータを用いて取り込むことで信号処理を行い、当該信号に基づいて発光制御を行う。【００２３】
図１に戻り、コンピュータ４は、発光時間処理部４１と、脈波信号解析部４２と、表示部４３とを有する。発光時間処理部４１は、発光素子１１による発光時間など、光電変換回路を駆動する際の駆動パラメータを決定するものである。脈波信号解析部４２は、制御回路３１から得られた脈波信号を解析し、心拍数などの情報を得て、当該情報を表示部４３に出力する。表示部４３は、ディスプレイなどの表示装置５に接続されており、脈波信号解析部４２にて得られた情報を、表示装置５に表示する。【００２４】
図４は、ピークホールド型復調回路２２３から出力される復調信号の信号レベルの大きさと、装着状態との関係を示すマップである。制御回路３１は、図４に示すようなマップを用いることにより、復調信号レベルに基づいて、被験者の耳にイヤークリップ部１０が装着されているか否か、及び装着されている場合にはどのように装着されているかを判定することができる。【００２５】
具体的には、以下の５つの状態を判定することができる（なお、以下の括弧付き数字は、図４の括弧付き数字と対応している）。
（１）非装着であり、イヤークリップ部１０が開状態（受光素子１２に発光素子１１からの光がほとんど入射しない場合）
（２）非装着であり、イヤークリップ部１０が閉状態（受光素子１２に発光素子１１からの光のほとんど全てが入射する場合）
（３）イヤークリップ部１０が適正位置に装着されている状態（受光素子１２に発光素子１１から照射される光が適切に入射している場合）
（４）イヤークリップ部１０が装着されているが、耳の厚い部分を噛み込んだ状態（受光素子１２に発光素子１１から照射される光が入射してはいるものの、入射量が少ない場合）
（５）イヤークリップ部１０が装着されているが、耳の端位置にある状態（受光素子１２に発光素子１１から照射される光が入射してはいるものの、入射量が多い場合）【００２６】
次に、本実施形態の光電脈波計測装置１００における、光電計測が行われていない状態から、光電計測が開始（又は再開）されるまでの処理について、図５のフローチャートに沿って、説明する。この図５の処理は、主に制御回路３１によって行われる処理である。【００２７】
まず、図５のステップＳ１０では、制御回路３１は、復調信号レベルが高いか否か（Ｈレベル（図４参照）であるか否か）を判断する。ここでの判断が肯定された場合には、非装着（閉状態）サブルーチンＳＲ１に移行し、ステップＳ１２において、制御回路３１が、イヤークリップ部１０の状態が閉状態（非装着状態）にあると判定する。【００２８】
次いで、制御回路３１は、ステップＳ１４において、表示部４３を介してイヤークリップ部１０の装着指示を表示装置５に表示する。次いで、制御回路３１は、ステップＳ１６において、信号レベルを検知し、次のステップＳ１６において、信号レベルが基準値（ここでは、信号レベルの最大値（Ｖｃｃ）の１／２である１／２Ｖｃｃとする）以上か否かを判断する。【００２９】
ここでの判断が肯定された場合、すなわち、信号レベルが１／２Ｖｃｃ以上であった場合には、ステップＳ２０に移行し、制御回路３１は、パルス発光回路２１１を介して、パルス発光を停止する。このパルス発光停止により、非装着状態における電力消費を低減することが可能である。【００３０】
一方、ステップＳ１８の判断が否定された場合、すなわち、信号レベルが１／２Ｖｃｃ以下であった場合には、ステップＳ２２に移行し、制御回路３１は、パルス発光回路２１１を介して、パルス発光を行う。そして、ステップＳ２４では、制御回路３１は、パルス発光による信号レベルの上昇度合がそれまでと比較して変化したか否かを判断する。ここで、上昇度合が変化した場合とは、非装着状態から何らかの変化が生じた場合（例えば、イヤークリップ部１０が耳に装着された場合など）が想定される。【００３１】
そして、ステップＳ２４の判断が肯定されるまで、すなわち、信号レベルの上昇度合が変化するまで、ステップＳ１６、Ｓ１８、Ｓ２０又はＳ２２を繰り返す。この繰り返し処理を行ったものが、図６（ａ）に示されている。この図６（ａ）から分かるように、上記処理を繰り返すことにより、閉状態（非装着状態）と判定された時点（図６（ａ）の時点Ａ参照）から、パルスを停止し、信号レベルが１／２Ｖｃｃよりも小さくなったとき（時点Ｂ参照）に、信号レベルを上昇させるようにパルス発光が行われる。すなわち、本実施形態では、イヤークリップ部１０が非装着の閉状態にあるときに、信号レベルが１／２Ｖｃｃに収束するように、パルス発光タイミングが制御される。【００３２】
図５に戻り、ステップＳ２４の判断が肯定された場合、すなわち、図６（ａ）の時点Ｃに示すように、それまでに行われたパルス発光（時点Ｂにおけるパルス発光）における信号レベルの上昇度と異なる上昇度を示した場合には、ステップＳ１０に戻る。【００３３】
一方、ステップＳ１０の判断が否定されると、ステップＳ２６に移行する。このステップＳ２６では、制御回路３１が、信号レベルが中間値であるか否か（Ｍレベル（図４参照）であるか否か）を判断する。ここでの判断が否定された場合、すなわち、信号レベルが低い（Ｌレベル（図４参照））と判断された場合には、非装着（開状態）サブルーチンＳＲ２に移行する。この非装着（開状態）サブルーチンＳＲ２では、まず、ステップＳ２８において、制御回路３１が、イヤークリップ部１０の状態が開状態（非装着状態）にあると判定する。【００３４】
次いで、ステップＳ３０では、制御回路３１が、パルス発光を停止する。次いで、ステップＳ３２では、制御回路３１が、脈信号の振幅レベルを検知し、ステップＳ３４では、脈信号の振幅レベルが閾値ｔ１以上であるか否かを判断する。ここでの判断が否定された場合には、ステップＳ４２に移行して、制御回路３１は、イヤークリップ部１０が耳に噛み込んだ状態であると判断する。また、次のステップＳ４４では、制御回路３１は、イヤークリップ部１０の位置調整指示を、表示部４３を介して表示装置５に表示する。その後は、ステップＳ３２に戻る。なお、被験者が噛み込み状態を直すまでは、ステップＳ３２→Ｓ３４→Ｓ４２→Ｓ４４の処理判断を繰り返す。【００３５】
一方、脈信号の振幅レベルが閾値ｔ１を超えていた場合には、ステップＳ３６に移行し、制御回路３１が信号レベルを検知する。この信号レベルの検知においては、ポーリングパルスを発光し、そのときの信号レベルを検知する。そして、ステップＳ３８では、制御回路３１が、信号が前に信号レベルを検知したときよりも上昇したか否かを判断する。ここでの判断が否定された場合には、判断が肯定されるまでステップＳ３６、Ｓ３８を繰り返し、判断が肯定された場合には、ステップＳ４０に移行する。このステップＳ３８の判断が肯定されるのは、イヤークリップ部１０が開状態であると判定された後（ステップＳ２８の後）、信号レベルの上昇が確認されたとき、すなわち、図６（ｂ）の時点Ｄのようになったときである。【００３６】
次のステップＳ４０では、制御回路３１が、信号上昇が確認された時点から、信号レベルが基準値（ここでは、１／２Ｖｃｃ）に達するまで（図６（ｂ）の時点Ｄから時点Ｅまで）、光パルスを増発処理する。すなわち、脈波計測を行う場合の光パルスの発光間隔（図６（ｂ）の間隔ｋ2）よりも狭い発光間隔（図６（ｂ）の間隔ｋ1）で、光パルスを発光する。このように光パルスの増発処理を行うことで、信号レベルが１／２Ｖｃｃに達するまでの時間（Ｔｂ）を短縮することができる。このステップＳ４０の処理が終了した段階で、ステップＳ１０に戻る。【００３７】
一方、ステップＳ２６の判断が肯定された場合（信号レベルが中間（Ｍ）であった場合）には、装着中サブルーチンＳＲ３のステップＳ４６に移行する。ステップＳ４６では、制御回路３１が、イヤークリップ部１０が装着されている（イヤークリップ部１０が閉状態）と判定する。【００３８】
次いで、ステップＳ４８では、制御回路３１が、脈信号の振幅レベルを検知し、ステップＳ５０において、当該振幅レベルが所定の閾値ｔ２以上か否かを判断する。ここでの判断が否定された場合には、ステップＳ５６に移行し、イヤークリップ部１０が被験者の耳の端位置に装着されていると判定する。【００３９】
また、次のステップＳ５８では、制御回路３１が、イヤークリップ部１０の位置調整指示を、表示部４３を介して表示装置５に表示し、その後、ステップＳ４８に戻る。なお、被験者がイヤークリップ部１０の位置調整を行い、ステップＳ５０の判断が肯定されるまでは、ステップＳ４８→Ｓ５０→Ｓ５６→Ｓ５８の処理判断が繰り返される。【００４０】
一方、ステップＳ５０の判断が肯定された場合には、ステップＳ５２に移行して、イヤークリップ部１０の位置が適正な位置に設けられていると判定する。また、次のステップＳ５４では、制御回路３１は、イヤークリップ部１０の装着を含む準備が完了した旨を、表示部４３を介して表示装置５に表示し、図５のフローチャートの全処理を終了する。なお、この図５のフローチャートが完了した後は、光電脈波計測開始（又は再開）の準備が完了しているので、その後は、通常の光電脈波計測装置と同様に、光電脈波計測を実行することができる。この光電脈波計測は、主に、図１のＡＣアンプ回路２２４から出力された振幅レベルに基づいて、コンピュータ４内の脈波信号解析部４２が実行する。【００４１】
なお、本実施形態では、アナログ回路２と、デジタル回路３と、コンピュータ４と、を含んで制御部が構成されている。【００４２】
以上、詳細に説明したように、本実施形態によると、発光素子１１の駆動が停止されている間に受光素子１２に蓄積している電荷が所定量以下に減少した場合に、受光素子１２に蓄積している電荷が所定量（信号レベルが１／２Ｖｃｃとなる電荷量）に収束するように発光素子１１を駆動するので、光電脈波計測を中断している場合などにおいて発光素子１１の駆動を停止して電力消費を抑制している間にも、電荷を所定量付近（１／２Ｖｃｃ付近）で維持することができる。これにより、光電脈波計測を再開する必要が生じたときに短時間で当該計測を開始することができるようになる。これについて、図６（ａ）と図７（ａ）とを比較しつつ、より詳細に説明する。図７（ａ）には、未装着の閉状態になった場合であっても、パルス発光を停止しない場合の例が示されている。この図７（ａ）と、図６（ａ）とを比較すると分かるように、図６（ａ）では、パルス発光頻度を減らすことにより、信号レベルが１／２Ｖｃｃに収束するように制御されているので、被験者がイヤークリップ部１０を耳に装着した後、図７（ａ）に示す時間Ｔａ’よりも短い時間Ｔａで、光電脈波計測を再開することができる。すなわち、図７（ａ）の例において、イヤークリップ部１０を耳に装着する前の状態から装着して測定までにかかっていた時間Ｔａ’を短縮することができる。なお、図７（ａ）の時間Ｔａ’は、脈信号のレベルが１／１００以下と少ないこと、及び周波数が０．５〜４Ｈｚ程度と低いことから、数秒程度であることが想定される。また、図６（ａ）では、図７（ａ）の場合よりもパルス発光回数を減らしているので、パルス発光による電力消費量を低減することが可能である。【００４３】
また、本実施形態では、受光素子１２が発光素子１１からの光パルスを受光できない状態（開状態）から受光できる状態に変化した場合に、受光素子１２に蓄積している電荷が所定量に収束するように（信号レベルが１／２Ｖｃｃとなるように）、発光素子を駆動するので、受光素子１２が発光素子１１からの光パルスを受光できるようになった後、短時間で脈波計測を開始することができるようになる。これについて、図６（ｂ）と図７（ｂ）とを比較しつつ、より詳細に説明する。図７（ｂ）には、未装着の開状態になった場合にも、パルス発光を停止しない場合が示されている。この図７（ｂ）と、図６（ｂ）とを比較すると分かるように、未装着の開状態では、パルス発光をしてもしなくても、信号レベルは同様の挙動を示すが、図６（ｂ）に示すように、装着判定後、パルスの増発処理を行うことにより、信号レベルが１／２Ｖｃｃに収束するまでに要する時間Ｔｂを、図７（ｂ）に示す信号レベルが１／２Ｖｃｃに収束するまでに要する時間Ｔｂ’よりも短縮することができる。また、本実施形態では、未装着の開状態ではパルス発光回数を減らしているので、パルス発光による電力消費を抑制することが可能である。この場合、未装着の開状態では、元々受光素子１２に発光素子１１から照射された光が入射しないので、パルス発光回数を削減しても計測精度等への影響は生じない。【００４４】
また、本実施形態では、信号レベル等により検出される装着状態が、非装着状態にある場合又は装着状態が悪い場合（噛み込んでいる場合や端位置に装着された場合）に、表示装置５に再装着指示などを表示（警告）するので、迅速かつ確実な装着状態に誘導することで、被験者が運動している間などにおいてノイズの原因となる不要振動や外光の影響などを最小限に抑えることができ、これにより、脈波の計測精度を向上させることができる。【００４５】
また、本実施形態では、信号形成回路２２が、ハイパスフィルタ回路２２２を有しているので、運動中の外光等による影響を効果的に排除し、木漏れ日の中を走行したり影部を通過したりしても、問題なく、脈波の計測を行うことができる。【００４６】
また、本実施形態では、信号形成回路２２が、受光素子１２からの出力信号を復調するピークホールド型復調回路２２３と、当該ピークホールド型復調回路２２３から出力された脈波信号の振幅を抽出するＡＣアンプ回路２２４と、を有し、ピークホールド型復調回路２２３の出力とＡＣアンプ回路２２４からの出力とに基づいて、イヤークリップ部１０の装着状態（発光素子１１と受光素子１２との関係）を検出する。ここで、ピークホールド型復調回路２２３は、ダイオードによる整流機能を用い、一定以上のプラス信号のみを通過する性質を発揮するもので、アナログスイッチが不要であるという利点がある。また、ピークホールド型復調回路２２３から出力される復調信号を用いてイヤークリップ部１０の装着状態を判定するので、信号処理のための構成の簡易化や信号処理の高速化を図ることができる。また、ローパスフィルタやＡＣアンプなどの遅延要素を介していない復調信号の信号レベルを用いて装着状態の判定を行うので、当該信号レベルのデータ列から直接的に装着状態を判定することが可能である。【００４７】
なお、上記実施形態では、被験者の耳に装着するイヤークリップ型の光電脈波計測装置に上記構造・方法を採用した場合ついて説明したが、これに限らず、例えば、被験者の指に装着する方式の光電脈波計測装置に上記構造・方法を採用することとしても良い。【００４８】
なお、上記実施形態では、図６（ａ）におけるパルス発光判断に用いる基準値が１／２Ｖｃｃであり（図５のステップＳ１８）、図６（ｂ）におけるパルス増発処理の終了タイミングを決定する値も１／２Ｖｃｃである場合（図５のステップＳ４０）について説明したが、これに限られるものではなく、基準値などの値には他の値を用いることとしても勿論良い。【００４９】
上述した実施形態は本発明の好適な実施の例である。但し、これに限定されるものではなく、本発明の要旨を逸脱しない範囲内において種々変形実施可能である。
【図１】
2010086978.tif 000003
【図２】
2010086978.tif 000004
【図３】
2010086978.tif 000005
【図４】
2010086978.tif 000006
【図５】
2010086978.tif 000007
【図６】
2010086978.tif 000008
【図７】
2010086978.tif 000009
【国際調査報告】
2010086978.tif 000010
2010086978.tif 000011